(57)【要約】      （修正有）【課題】コネクタが偏って嵌合した状態であっても、制御基板をベースから容易に引き離す。【解決手段】内外面に通じる開口部が形成された底板を有する筺体６０と、筺体底板の内面側に、情報を記憶する記憶媒体および記憶媒体をアクセスするヘッドと、外部回路との接続用の第１のコネクタが固定され、内面側の、第１のコネクタが開口部から外部に覗く位置に配置された内部基板とを有する本体ユニット、および、第１のコネクタと組み合う第２のコネクタと、ヘッドに記憶媒体をアクセスさせる制御回路とが搭載され、第２のコネクタを第１のコネクタと嵌合させて筺体底板の外面に沿って配置された制御基板８を備え、筺体が、筺体底板の外面と制御基板との間に、筺体底板の縁に開口し開口部の周りにつながる隙間６２を形成している。【選択図】図５
2009134809.tif 000002
【特許請求の範囲】
【請求項１】
内外面に通じる開口部が形成された底板を有する筺体と、
前記筺体底板の内面側に、情報を記憶する記憶媒体および記憶媒体をアクセスするヘッドと、外部回路との接続用の第１のコネクタが固定され、該内面側の、該第１のコネクタが前記開口部から外部に覗く位置に配置された内部基板とを有する本体ユニット、および、
前記第１のコネクタと組み合う第２のコネクタと、前記ヘッドに前記記憶媒体をアクセスさせる制御回路とが搭載され、該第２のコネクタを前記第１のコネクタと嵌合させて前記筺体底板の外面に沿って配置された制御基板を備え、
前記筺体が、前記筺体底板の外面と前記制御基板との間に、該筺体底板の縁に開口し前記開口部の周りにつながる隙間を形成していることを特徴とする情報記憶装置。
【請求項２】
前記第２のコネクタが、前記隙間に挿入された、該第２のコネクタを前記第１のコネクタから外すための薄板状の治具の先端が突き当たる突き当て部を有することを特徴とする請求項１記載の情報記憶装置。
【請求項３】
前記筺体は、前記筺体底板の縁における前記隙間の開口を、該隙間に挿入された、前記第２のコネクタを前記第１のコネクタから外すための薄板状の治具の側面を該開口を形成する壁面に突き当てた状態で該治具の挿入方向に交わる横方向の位置決めがなされる位置に、有することを特徴とする請求項１又２記載の情報記憶装置。
【請求項４】
前記筺体は、前記隙間を形成する壁面に、該隙間に挿入された、前記第２のコネクタを前記第１のコネクタから外すための薄板状の治具を案内する案内溝を有することを特徴とする請求項１記載の情報記憶装置。
【発明の詳細な説明】
【技術分野】
【０００１】
本発明は、筺体の底板の内面側に、記憶媒体、記憶媒体をアクセスするヘッド、および内部基板を有し、筺体の底板の外面側に、ヘッドに記憶媒体をアクセスさせる制御回路が搭載された制御基板を有し、内部基板と制御回路とが嵌合型のコネクタを用いて接続された情報記憶装置に関する。
【背景技術】
【０００２】
近年、コンピュータ技術の発展とともに、コンピュータに内蔵される機器や、コンピュータに外部から接続される周辺機器に関する技術も急速に発展している。こうした技術の中でも、ハードディスク装置をはじめとする、情報を記憶する情報記憶装置の開発・研究は特に盛んであり、その記憶容量も上昇傾向にある。
【０００３】
ハードディスク装置では、情報を記憶する記憶媒体が内蔵されており、この記憶媒体周囲に、記憶媒体を高速回転させる回転機構、記憶媒体に近接して情報のやりとり（アクセス）を行うヘッド、ヘッドを記憶媒体上で移動させる移動機構などといった、情報の記憶再生に直接的に携わる各部が備えられている。ハードディスク装置では、これら各部は、記憶媒体とともにベースと呼ばれる筺体に収容されていることが一般的であり、塵や埃が記憶媒体に付着して情報の記憶再生に対する障害となることを防ぐために、ベースに収容されている記憶媒体や上記の各部は、ほぼ密閉状態に維持される。ハードディスク装置には、記憶媒体へのヘッドのアクセスなど上記の各部の動作を制御する制御回路が備えられているが、制御回路では熱が発生しやすく、また、密閉状態にあるベース内部のスペースには限りがあるため、制御回路を有する制御基板は、記憶媒体や上記の各部とは別にしてベースの外側に配置される。ハードディスク装置の中には、制御基板と、ベース内部に設けられて上記の各部と電気的に導通する内部基板とが、ベースに設けられた開口部を通して嵌合型のコネクタで電気的に接続されることで、制御基板によりヘッドのアクセスが制御されるハードディスク装置が存在する（例えば、特許文献１参照）。
【０００４】
図１は、嵌合型のコネクタを採用した従来のハードディスク装置において、ベース６’に取り付けられている制御基板８を表した図である。
【０００５】
この図では、ベース６’の外側の面（図の下側の面）に取り付けられている制御基板８が示されており、この制御基板８は、点線で示す嵌合型コネクタ７によって、ベース６’内部に収容されている不図示の内部基板と電気的に接続されている。なお、制御基板８には、この内部基板を介してヘッド（不図示）のアクセスを制御するための制御回路が設けられているが、ここでは、その図示は省略されている。
【特許文献１】特開２００１−２１００５８号公報
【発明の開示】
【発明が解決しようとする課題】
【０００６】
図１の嵌合型コネクタ７のような嵌合型のコネクタを用いたハードディスク装置では、オス型のコネクタとメス型のコネクタとが偏って嵌合してしまってはずれにくくなることがあり、ハードディスク装置の修理作業などの際に、制御基板をベース側から引き離すのに作業者が苦労することがある。
【０００７】
図２は、図１のハードディスク装置において、制御基板８をベース６’側から引き離す作業を表した図である。
【０００８】
この図では、制御基板８とベース６’とは、図の点線領域Ａ内に存在する嵌合型コネクタ（不図示）に接続されている。この嵌合型コネクタが偏って嵌合してしまってはずれにくくなると、作業者が、図２のパート（ａ）に示すように制御基板８の左端を図のＰ方向に引っ張っても、あるいは、図２のパート（ｂ）に示すように制御基板８の右端を図のＱ方向に引っ張っても、制御基板８とベース６’とがなかなか分離できない状態となる。この状態で、無理に制御基板８を引き離そうとすると、制御基板８が、元に戻らない程度にまで変形してしまい、制御基板８に設けられている制御回路に動作不良が生じることがある。図１のように指で制御基板８を引き離す代わりに、ベース６’と制御基板８との間に、細長い部材を挿入してこじ開けるようにして制御基板８をベース６’から引き離すことも考えられるが、従来のハードディスク装置では、そのような部材を挿入する充分な隙間がなく、引き離すのは困難である。
【０００９】
図３は、図１において一点鎖線で囲まれた領域Ｂの拡大図である。
【００１０】
図３に示すように、従来のハードディスク装置では、制御基板８は、ベース６’の際まで延びており、制御基板８とベース６’との間には、せいぜい０．３ｍｍ程度の隙間しかない状態となっている。このため、この隙間に、細長い部材が無理に挿入される場合には、その部材の厚みにより、上述したのと同様に制御基板８が、元に戻らない程度にまで変形し、制御基板８に設けられている制御回路に動作不良が生じるおそれがある。また、図３に示すように、制御基板８の縁がベース６’の壁６１’に対向している部分で細長い部材の挿入が行われる場合には、壁６１’の高さ以上に制御基板８の縁を大きく変形させる必要があるため、制御回路に悪影響が及ぼされる可能性が高い。
【００１１】
以上説明してきたように、制御基板と内部基板とがベースを間に挟んで、嵌合型のコネクタで電気的に接続されている従来のハードディスク装置では、コネクタが偏って嵌合してしまうと、修理時などに制御基板をベースから引き離すのが難しくなり、その引き離し作業により制御基板が変形して制御基板に設けられている制御回路に動作不良が生じるおそれがある。
【００１２】
以上では、嵌合型のコネクタを利用したハードディスク装置を例として説明したが、上記の問題は、ハードディスク装置に限らず、嵌合型のコネクタを利用した情報記憶装置全般について起こり得る問題である。
【００１３】
上記事情に鑑み、コネクタが偏って嵌合した状態であっても、制御基板を筺体から容易に引き離すことができる情報記憶装置を提供する。
【課題を解決するための手段】
【００１４】
上記目的を達成する情報記憶装置の基本形態は、
内外面に通じる開口部が形成された底板を有する筺体と、
上記筺体底板の内面側に、情報を記憶する記憶媒体および記憶媒体をアクセスするヘッドと、外部回路との接続用の第１のコネクタが固定され、該内面側の、該第１のコネクタが上記開口部から外部に覗く位置に配置された内部基板とを有する本体ユニット、および、
上記第１のコネクタと組み合う第２のコネクタと、上記ヘッドに上記記憶媒体をアクセスさせる制御回路とが搭載され、該第２のコネクタを上記第１のコネクタと嵌合させて上記筺体底板の外面に沿って配置された制御基板を備え、
上記筺体が、上記筺体底板の外面と上記制御基板との間に、該筺体底板の縁に開口し上記開口部の周りにつながる隙間を形成している。
【００１５】
この基本形態によれば、上記筺体底板の外面と上記制御基板との間に、上記の開口部の周りにつながる隙間が存在しているため、制御基板を無理に変形させることなくこの隙間に、第２のコネクタを第１のコネクタから外すための治具を２つのコネクタの嵌合箇所まで差し込むことができ、制御基板と筺体とを引き離す力を、２つのコネクタの嵌合箇所に集中することが可能となる。この結果、この基本形態では、制御基板の変形による制御回路の動作不良を回避しつつ、制御基板が筺体から容易に引き離される。
【００１６】
また、上記の基本形態において、「上記第２のコネクタが、上記隙間に挿入された、該第２のコネクタを上記第１のコネクタから外すための薄板状の治具の先端が突き当たる突き当て部を有する」という応用形態は好適である。
【００１７】
このような応用形態によれば、治具の挿入の際には、治具の先端が突き当て部に突き当たることで、それ以上に治具が深く挿入されることはない。これにより、治具が、２つのコネクタの嵌合箇所まで差し込まれたことを作業者が認識することができ、制御基板と筺体との引き離し作業における治具の位置決めが簡単に行われる。
【００１８】
また、上記の基本形態において、「上記筺体は、上記筺体底板の縁における上記隙間の開口を、該隙間に挿入された、上記第２のコネクタを上記第１のコネクタから外すための薄板状の治具の側面を該開口を形成する壁面に突き当てた状態で該治具の挿入方向に交わる横方向の位置決めがなされる位置に、有する」という応用形態は好適である。
【００１９】
このような応用形態によれば、隙間に挿入された治具が、開口のへりに阻まれて横方向に移動することができない位置が、そのまま、制御基板と筺体との引き離し作業における治具の位置となり、治具の位置決めが簡単に行われる。
【００２０】
また、上記の基本形態において、「上記筺体は、上記隙間を形成する壁面に、該隙間に挿入された、上記第２のコネクタを上記第１のコネクタから外すための薄板状の治具を案内する案内溝を有する」という応用形態は好適である。
【００２１】
このような応用形態によれば、治具が２つのコネクタの嵌合箇所まで、位置ずれを生じることなく簡単に到達し、治具の位置決めも簡単化する。
【発明の効果】
【００２２】
以上説明したように、情報記憶装置の上記基本形態によれば、コネクタが偏って嵌合した状態であっても、制御基板を筺体から容易に引き離すことができる。
【発明を実施するための最良の形態】
【００２３】
基本形態（および応用形態）について上述した情報記憶装置に対する具体的な実施形態を、以下図面を参照して説明する。
【００２４】
図４は、情報記憶装置の具体的な実施形態であるハードディスク装置（ＨＤＤ）１０の概略構成図である。
【００２５】
この図に示すハードディスク装置（ＨＤＤ）１０には、筺体（ベース）６の内側の底面に、磁化の配列パターンの形式で情報を記憶する円盤状の磁気ディスク２が備えられており、この磁気ディスク２は、不図示の駆動モータの駆動力を受けて回転する。磁気ディスク２の表面には、同心円状に多数のトラックが設けられており、各トラックには、トラックに沿って１ビット領域と呼ばれる１ビット分の情報を記憶する単位記憶領域が並んでいる。これらの１ビット領域には、所定方向を向いた磁化がそれぞれ１つずつ設けられており、この２つの向きで１ビット分の情報が表される。
【００２６】
また、このＨＤＤ１０には、アクチュエータ５から駆動力を受けて、磁気ディスク２に沿った平面内で回動するキャリッジアーム４が設けられている。このキャリッジアーム４の先端には、磁気ディスク２からの情報の読み出しおよび磁気ディスク２への情報の書き込み（以下、まとめてアクセスと呼ぶ）を行う磁気ヘッド３を保持するサスペンション４１が取り付けられている。
【００２７】
このＨＤＤ１０では、磁気ディスク２へ情報の記録、および磁気ディスク２に記録された情報の再生にあたっては、まず、アクチュエータ５によってキャリッジアーム４が駆動され、磁気ヘッド３が、回転する磁気ディスク２上の所望のトラックに位置決めされ、そのトラックに並ぶ各１ビット領域に、磁気ディスク２の回転によって順次近接する。情報の記録時には、磁気ディスク２に近接した磁気ヘッド３に、内部基板８０から電気的な記録信号が入力され、磁気ヘッド３は、入力された記録信号に応じて上記各１ビット領域に磁界を印加して、その記録信号に担持された情報をそれらの各１ビット領域の磁化方向の形式で記録する。また、情報の再生時には、磁気ヘッド３は、各１ビット領域において磁化方向の形式で記録された情報を、磁化それぞれから発生する磁界に応じて電気的な再生信号を生成することにより取り出し、その再生信号は内部基板８０に出力されて内部基板８０において信号処理される。
【００２８】
このＨＤＤ１０には、上記の磁気ヘッド３のアクセスなど、情報の記録・再生に直接的に携わる各部の動作を制御する制御回路８１を有する制御基板８が備えられており、この制御基板８は、磁気ディスク２などの上述した各部が備えられているベース６０の内側（図４で示されている側）とは反対側の面に備えられている。ベース６０の外側の概観は、図１の一点鎖線で囲まれた領域Ｂの構造を除いて、図１で示したベース６’の外側の概観と同じである。なお、図４では、制御基板８の存在を明示的に示すために、制御基板８は、ベース６０から図の下方に離れた位置に図示されている。この制御基板８は、ベース６０側を向いた面上に、メス型の基板側コネクタ７ｂを備えており、この基板側コネクタ７ｂは、ベース６０底面に設けられた後述の開口部から図の下側に突き出した状態で内部基板８０に固定されているオス型のベース側コネクタ７ａと、ベース６０の下側（外側）で嵌合する。この嵌合により、制御基板８と内部基板８０との間に電気的な導通が実現し、制御基板８は、内部基板８０を介して、磁気ヘッド３などの各部の動作の制御を行う。
【００２９】
このように、嵌合型のコネクタを介して制御基板が制御を行うハードディスク装置では、オス型のコネクタとメス型のコネクタとが偏って嵌合してしまってはずれにくくなることがあり、ハードディスク装置の修理作業などの際に、制御基板をベース側から引き離すのに苦労することがある。図４のＨＤＤ１０では、このように２つのコネクタが偏って嵌合した場合でも、制御基板をベース側から引き離す作業が容易に行われるように、ＨＤＤ１０の構造が工夫されている。以下では、その構造について説明する。
【００３０】
図５は、図４のＨＤＤ１０において、基板側コネクタ７ｂとベース側コネクタ７ａとが嵌合している箇所の付近で、ベース６０および制御基板８とを表した図、図６は、図５の状態から制御基板８を取り除いたときの様子を表した図である。
【００３１】
図５には、図４のＨＤＤ１０について、図１に示す従来のＨＤＤの領域Ｂに相当する部分の構造が示されている。図５に示すＨＤＤ１０の構造では、図３に示す従来のＨＤＤの構造と異なり、ベース６０の壁６１の一部が取り除かれて切り欠け部６２が形成されることで制御基板８とベース６０との間（制御基板８の縁と切り欠け部６２との間）に隙間が形成されている。この隙間の幅は０．９ｍｍ程度であり、図３に示す従来のＨＤＤの場合の０．３ｍｍと比べ、充分に広い隙間となっている。図６に示されているように、ベース６０の底面には、ベース６０の内外面に通じる開口部６４が形成されており、ベース側コネクタ７ａは、この開口部６４から外部に覗く位置に備えられている。切り欠け部６２からベース側コネクタ７ａ周囲までは、制御基板８の位置決めを行う凸部６３が存在している箇所を除き平坦となっているため、図５に示す、基板側コネクタ７ｂとベース側コネクタ７ａとの嵌合している状態では、切り欠け部６２や制御基板８の縁の付近から、２つのコネクタの嵌合箇所の周囲にまで、上記の隙間が延びている状態が実現されている。このため、図４のＨＤＤ１０では、制御基板８を無理に変形させることなく、この隙間に細長い部材（以下、ジグと呼ぶ）を、基板側コネクタ７ｂとベース側コネクタ７ａとの嵌合箇所まで差し込むことができ、制御基板８とベース６０とを引き離す力を、２つのコネクタの嵌合箇所に集中することが可能となっている。この結果、図４のＨＤＤ１０では、制御基板の変形による制御回路の動作不良を回避しつつ、制御基板８がベース６０から容易に引き離される。以下では、上記の隙間にジグが差し込まれるときの様子について説明する。
【００３２】
図７は、図５の隙間にジグ９が差し込まれている様子を示した図である。
【００３３】
ジグ９は、先端が２つの細長い板状の部分に分かれた部材であり、この２つに分かれた部分を先頭にして凸部６３を跨いだ状態で図５の隙間に差し込まれる。なお、この図では、制御基板８に設けられている制御回路８１の図示は省略されている。
【００３４】
図８は、図７の状態で、基板側コネクタ７ｂを除き制御基板８を取り外した状態を表した図、図９は、図７の状態で、ベース６０を取り外した状態を表した図、図１０は、図７の状態にある、ベース６０、制御基板８、およびジグ９の位置関係を、ジグ９の挿入方向に垂直な面内で表した断面図である。
【００３５】
図８には、ジグ９が差し込まれている様子を明確にするため、基板側コネクタ７ｂを除き制御基板８を取り外した状態が示されており、この図に示すように、ジグ９は、２つの細長い板状部分が、基板側コネクタ７ｂを間に挟んで挿入されている。ここで、細長い板状部分と、基板側コネクタ７ｂの縁との間隔としては、２ｍｍ程度である。ジグ９の挿入の際には、上記の２つの細長い板状部分の先端が基板側コネクタ７ｂに設けられた２つの突き当て部７１ｂに突き当たることで、図８に示す状態以上にジグ９が図の矢印Ｙ方向に挿入されることはない。これにより、ジグ９が、基板側コネクタ７ｂとベース側コネクタ７ａとの嵌合箇所まで差し込まれたことを作業者が認識することができ、制御基板８とベース６０との引き離し作業におけるジグ９の図の矢印Ｙ方向についての位置決めが簡単に行われる。また、このように２つの突き当て部７１ｂが設けられることで不必要にジグ９が深く挿入されることが回避されるため、制御基板８上において基板側コネクタ７ｂより挿入方向の奥側に配置されている電子部品に衝撃が加えられることはない。また、図８に示すように、ベース６０の壁６１は、ジグ９の厚みよりも高いため、隙間に挿入されたジグ９は、この壁６１に阻まれて、図８の状態よりも図のＸ方向に移動することができない状態となっている。このように壁６１に阻まれてＸ方向にジグ９が移動することができない位置が、そのまま、引き離し作業におけるＸ方向についてのジグ９の位置となり、位置決めが簡単になる。
【００３６】
一方、図９には、図５の隙間にジグ９が差し込まれている様子を明確にするため、ベース６０を取り外した状態が示されている。図９では、制御基板８に設けられている制御回路８１の図示は省略されているが、この制御基板８では、ジグ９の挿入の際に障害とならないように、ジグ９の挿入路には、制御回路を構成する素子が配置されないよう工夫されている。
【００３７】
図１０には、ベース６０と制御基板８の間の隙間に挿入されているジグ９の様子が、ジグ９の挿入方向に垂直な面内で表されており、この図に示すように、隙間に、ジグ９の２つの細長い板状の部分は入り込んでいる。
【００３８】
次に、ジグ９が挿入される部分のベースの形状が、以上説明したベース６０の形状とは異なるＨＤＤについて説明する。
【００３９】
このＨＤＤが、図４〜図１０において説明したＨＤＤ１０と異なる点は、このＨＤＤでは、基板側コネクタにおいて、図８の基板側コネクタ７ｂのような突き当て部７１ｂがない代わりに、ベースにおいて、ジグ９の挿入時にジグ９を案内する案内溝が設けられる点であり、この点を除けば、このＨＤＤの構成や形状は、図４〜図１０において説明したＨＤＤ１０と同じであり、情報の記憶・再生の際の動作も同じである。そこで、以下では、この異なる点に絞って説明を行う。
【００４０】
図１１は、案内溝を有するＨＤＤにおいて、ベース６００に設けられている案内溝６０１を表した図、図１２は、案内溝６０１に沿ってジグ９が挿入されたときの様子を表した図である。
【００４１】
図１１に示すように、ベース６００には、ジグ９の挿入方向に沿って案内溝６０１が設けられており、ジグ９の挿入時には、図１２に示すように案内溝６０１にジグ９がすっぽり嵌り込んだ位置に位置決めされ、この位置で、基板側コネクタ７０ｂとベース側コネクタ７ａとの嵌合を解除が実行される。この位置では、ジグ９は、図のＸ方向、Ｙ方向、およびＺ方向のいずれの方向にも移動できない状態となっており、ジグ９の挿入の際には、ジグ９がこの位置に到達することで、嵌合を解除する際のジグ９の位置決めが容易に行われる。
【００４２】
以上が、上記基本形態（および応用形態）についての具体的な実施形態の説明である。
【００４３】
以上の説明では、ジグ９は、先端が２つの細長い板状の部分に分かれた部材であって、このジグ９の形状に合わせて基板側コネクタの突き当て部材や案内溝の位置や形状が工夫されていたが、上記基本形態（および応用形態）では、ジグが他の形状であって、その形状に合わせて、基板側コネクタの突き当て部材や案内溝の位置や形状が工夫されていてもよい。例えば、ジグの先端の２つの細長い板状の部分が、図１２のような板幅が一定となっている形状ではなく、各先端が尖った形状であって、この形状に合わせて案内溝の形状が工夫されていてもよい。また、ジグの位置決めのためにジグの形状に工夫があってもよい。例えば、以上説明したジグ９のような１枚板のジグではなく段差のあるジグであって、一段目の厚さはベースと制御基板の間の隙間の幅以下の厚さであるが、二段目までを含めた厚さが隙間の幅より大きく、挿入時には一段目だけが挿入されて二段目が隙間に引っかかることで位置決めがなされるようなジグが用いられてもよい。
【図面の簡単な説明】
【００４４】
【図１】嵌合型のコネクタを採用した従来のハードディスク装置において、ベースに取り付けられている制御基板を表した図である。
【図２】図１のハードディスク装置において、制御基板をベース側から引き離す作業を表した図である。
【図３】図１において一点鎖線で囲まれた領域Ｂの拡大図である。
【図４】情報記憶装置の具体的な実施形態であるハードディスク装置（ＨＤＤ）の概略構成図である。
【図５】図４のＨＤＤにおいて、基板側コネクタとベース側コネクタとが嵌合している箇所の付近で、ベースおよび制御基板とを表した図である。
【図６】図５の状態から制御基板を取り除いたときの様子を表した図である。
【図７】図５の隙間にジグが差し込まれている様子を示した図である。
【図８】図７の状態で、基板側コネクタを除き制御基板を取り外した状態を表した図である。
【図９】図７の状態で、ベースを取り外した状態を表した図である。
【図１０】図７の状態にある、ベース、制御基板、およびジグの位置関係を、ジグの挿入方向に垂直な面内で表した断面図である。
【図１１】案内溝を有するＨＤＤにおいて、ベース６００に設けられている案内溝を表した図である。
【図１２】案内溝に沿ってジグが挿入されたときの様子を表した図である。
【符号の説明】
【００４５】
１０  ハードディスク装置（ＨＤＤ）
２  磁気ディスク
３  磁気ヘッド
４  キャリッジアーム
４１  サスペンション
５  アクチュエータ
６’，６０，６００  ベース
６１  壁
６２  切り欠け部
６３  凸部
６４  開口部
７  嵌合型コネクタ
７ａ  ベース側コネクタ
７ｂ  基板側コネクタ
７１ｂ  突き当て部
８  制御基板
８０  内部基板
８１  制御回路
９  ジグ
【図１】
2009134809.tif 000003
【図２】
2009134809.tif 000004
【図３】
2009134809.tif 000005
【図４】
2009134809.tif 000006
【図５】
2009134809.tif 000007
【図６】
2009134809.tif 000008
【図７】
2009134809.tif 000009
【図８】
2009134809.tif 000010
【図９】
2009134809.tif 000011
【図１０】
2009134809.tif 000012
【図１１】
2009134809.tif 000013
【図１２】
2009134809.tif 000014